(57)【要約】【課題】少ない金型数で出来るだけ種類の多い瓦ブロック体の成形を可能にする瓦用成形金型を提供する。【解決手段】形状の異なる小瓦６が連続して形成された瓦本体部７を有し、この瓦本体部７の一方の端部に係止片８を備えると共に、瓦本体部７の他方の端部に係止片８が係止接続される被係止部９を備えてなる瓦ブロック体１０を成形する瓦用成形金型である。瓦用成形金型を小瓦６を成形する複数組の入れ子型１とこの入れ子型１が並べて収納される受金型２とで構成する。受金型２の入れ子型収納部３の隣接部位に被係止部成形型部４を形成する。被係止部成形型部４と反対側の各入れ子型１の端部にそれぞれ係止片成形型部５を形成する。【選択図】　　　　図１
2004082518.tif 000002
【特許請求の範囲】
【請求項１】
形状の異なる小瓦が連続して形成された瓦本体部を有し、この瓦本体部の一方の端部に係止片を備えると共に、瓦本体部の他方の端部に係止片が係止接続される被係止部を備えてなる瓦ブロック体を成形する瓦用成形金型であって、この瓦用成形金型を小瓦を成形する複数組の入れ子型とこの入れ子型が並べて収納される受金型とで構成し、この受金型の入れ子型収納部の隣接部位に被係止部成形型部を形成し、この被係止部成形型部と反対側の各入れ子型の端部にそれぞれ係止片成形型部を形成してなることを特徴とする瓦用成形金型。
【請求項２】
瓦ブロック体の瓦本体部表面の小瓦間に溝模様を形成させる溝成形型部を各入れ子型の端部に形成したことを特徴とする請求項１記載の瓦用成形金型。
【発明の詳細な説明】
【０００１】
【発明の属する技術分野】
本発明は、瓦用成形金型に関する発明である。
【０００２】
【従来の技術】
従来から、住宅の屋根面を構成する屋根瓦材には、屋根を軽くして建物躯体への負担を小さくできる樹脂製の瓦材が用いられている。この瓦材にはたとえば熱硬化性樹脂のＳＭＣ（シート・モールド・コンパウンド）プレス成形にて石目調仕上に成形されたものがある。この石目調仕上の瓦材は、たとえば、形状の異なる小瓦６が連続して形成された瓦本体部７を有し、この瓦本体部７の一方の端部に係止片８を備えると共に、瓦本体部７の他方の端部に係止片８が係止接続される被係止部９を備えてなる瓦ブロック体１０から構成される（図１５）。そして、この瓦ブロック体１０を、左右方向には係止片８を瓦本体部７に接続させて複数個連結して配置すると共に、軒棟方向には上段に配置した瓦ブロック体１０の水下側の部位を下段の瓦ブロック体１０の水上側に重ねて積層配置するように野地上に葺設することで、石目調の屋根が形成されるのである（図１２参照）。
【０００３】
この瓦ブロック体１０（図１５）をＳＭＣプレス成形するには、たとえば図１３や図１４に示すような成形金型が用いられている。図１３の成形金型は、対向面に瓦ブロック体１０の全体形状のキャビティを形成する上型２０及び下型２１で構成されたものであり、図１４の成形金型は、対向面に瓦本体部７のキャビティを形成する上型２３及び下型２４からなる入れ子型２２と、この入れ子型２２を収納する上型２６及び下型２７からなる受金型２５とで構成されたものである。ここで、この受金型２５は、その対向面に部屋状の入れ子型収納部３が設けられると共に、この入れ子型収納部３に隣接して被係止部９のキャビティを形成する被係止部成形型部４が設けられたものである。
【０００４】
【発明が解決しようとする課題】
ところで、上述した石目調屋根にあって、より高級感をもたせてより自然な外観を現出させるには、同じパターンの瓦ブロック体１０を葺くのではなく、数種類の異なったパターンの瓦ブロック体１０を適当に混ぜて葺く必要があるのであるが、数種類の異なったパターンの瓦ブロック体１０を製造するにあたり、上記図１３，１４の成形金型を用いて行わせると、パターンの数と同等数の上型２０及び下型２１や、入れ子型２２が必要になり、石目調屋根の製造コストが大幅に高騰してしまうといった問題があった。
【０００５】
本発明は上記の点に鑑みてなされたものであり、少ない金型数で出来るだけ種類の多い瓦ブロック体の成形を可能にする瓦用成形金型を提供することを課題とするものである。
【０００６】
【課題を解決するための手段】
上記課題を解決するために本発明に係る瓦用成形金型は、形状の異なる小瓦６が連続して形成された瓦本体部７を有し、この瓦本体部７の一方の端部に係止片８を備えると共に、瓦本体部７の他方の端部に係止片８が係止接続される被係止部９を備えてなる瓦ブロック体１０を成形する瓦用成形金型であって、この瓦用成形金型を小瓦６を成形する複数組の入れ子型１とこの入れ子型１が並べて収納される受金型２とで構成し、この受金型２の入れ子型収納部３の隣接部位に被係止部成形型部４を形成し、この被係止部成形型部４と反対側の各入れ子型１の端部にそれぞれ係止片成形型部５を形成してなることを特徴とする。これによると、入れ子型収納部３内に配置した入れ子型１にはそれぞれ被係止部成形型部４と反対側の端部に係止片成形型部５が形成されているので、入れ子型収納部３内に任意の順序で入れ子型１を配置しても、成形された瓦ブロック体１０の被係止部９と反対側の端部には確実に係止片８が成形されることから、一端に係止片８を他端に被係止部９を備えた瓦ブロック体１０を確実に成形させることができ、更に、入れ子型収納部３内に順序を入れ替えて入れ子型１を配置することで、入れ子型１の種類は増やすことなく小瓦６の配列パターンを異ならせた数種類の瓦ブロック体１０を成形させることができる。
【０００７】
また、瓦ブロック体１０の瓦本体部７表面の小瓦６間に溝模様１１を形成させる溝成形型部１２を各入れ子型１の端部に形成したことも好ましい。これによると、各入れ子型１が成形する小瓦６の間にはしばしばバリなどが生じる場合があるが、各入れ子型１の端部に溝成形型部１２を形成して小瓦６の間に溝模様１１を形成させたので、バリは小瓦６間の溝模様１１内に発生して外観上目立たなくできる。
【０００８】
【発明の実施の形態】
以下、本発明を添付図面に示す実施形態に基づいて説明する。本発明は、瓦材である瓦ブロック体１０を成形させる成形金型であって、少ない金型数で出来るだけ種類の多い瓦ブロック体１０の成形を可能にするものである。ここで、成形される瓦ブロック体１０は、形状の異なる小瓦６が連続して形成された瓦本体部７を有し、この瓦本体部７の一方の端部に係止片８を備えると共に、瓦本体部７の他方の端部に係止片８が係止接続される被係止部９を備えて構成されるものである（図４）。そして、本例の成形金型は、その金型数は増加させずに小瓦６の配列を異ならせるようにして種類の多い瓦ブロック体１０を成形できるようにしたものである。以下、詳述する。
【０００９】
図１及び図２に示すように本例の瓦用成形金型は、小瓦６を成形する複数組の入れ子型１と、この入れ子型１が並べて収納される受金型２とで構成したものである。受金型２は、その対向面に部屋状の入れ子型収納部３が設けられると共に、この入れ子型収納部３に隣接して被係止部９のキャビティを形成する被係止部成形型部４が設けられた上型２ａ及び下型２ｂで構成される。なお、被係止部成形型部４は、入れ子型収納部３への入れ子型１の並設方向における入れ子型収納部３の隣接部位に設けられている。被係止部９は係止片８を受けて係止させるため上方に開口せる凹溝状の部位であるから、具体的に、被係止部成形型部４は上型２ａの対向面から上方に凹没させた１対の凹溝４ａを並設して構成されている。
【００１０】
各入れ子型１は対向面に小瓦６のキャビティが形成された１対の上型１ａ及び下型１ｂで構成される。この各入れ子型１のキャビティの形状はそれぞれ異なるように形成されている。また、この各入れ子型１には、受金型２の被係止部成形型部４と反対側の端部に、係止片８のキャビティである係止片成形型部５が形成されている。係止片８は小瓦６表面から下方に垂下する突片状のものであることから、具体的に、係止片成形型部５は各入れ子型１の下型１ｂの対向面から下方に凹没した凹溝５ａで構成されている。また、各入れ子型１の係止部成形型部５と反対側の端部には、受金型２にある被係止部成形型部４や、隣接する入れ子型１の係止片成形型部５にキャビティを開口させる開口部１３が設けられている。具体的に、この開口部１３は、受金型２の被係止部成形型部４を構成する一対の凹溝４ａのうち、入れ子型収納部３に隣接した凹溝４ａの上端部分や、隣接する入れ子型１の係止片成形型部５を構成する凹溝５ａにキャビティを連通させるように形成されている。
【００１１】
上記構成を有した瓦用成形金型を用いて瓦ブロック体１０を成形させるには、図１に示すように、受金型２の入れ子型収納部３内に各入れ子型１を並べて配置し、受金型２の上型２ａの上面からは入れ子型１の上型１ａを、受金型２の下型２ｂの下面からは入れ子型１の下型１ｂをそれぞれボルト等の固着具（図示せず）で脱着可能に固定し、図２に示すように受金型２の上型２ａに入れ子型１の上型１ａを一体にすると共に受金型２の下型２ｂに入れ子型１の下型１ｂを一体にした状態の瓦用成形金型によって、たとえば熱硬化性樹脂のＳＭＣ（シート・モールド・コンパウンド）プレス成形や樹脂射出成形を行い、樹脂製の瓦ブロック体１０を成形させるのである。
【００１２】
なお、本例の瓦用成形金型は、第１から第４の４組の入れ子型１Ａ，１Ｂ，１Ｃ，１Ｄを有して構成されたものである。しかして、この瓦用成形金型を用いて成形された瓦ブロック体１０には、形状の異なる４つの小瓦６を連設した瓦本体部７が成形される。
【００１３】
たとえば、図２の瓦用成形金型では、受金型２の入れ子型収納部３内に、被係止部成形型部４側から、第１から第４の入れ子型１Ａ，１Ｂ，１Ｃ，１Ｄを数字順に並べて配置してある。この瓦用成形金型で成形した瓦ブロック体１０ａは、図４に示すように、第１の入れ子型１Ａで成形された小瓦６が被係止部９に連結しており、被係止部９の反対側の瓦ブロック体１０ａの端部には第４の入れ子型１Ｄで成形された係止片８が形成されている。
【００１４】
また、たとえば、図５の瓦用成形金型では、受金型２の入れ子型収納部３内に、被係止部成形型部４側から、第４の入れ子型１Ｄ、第２の入れ子型１Ｂ、第３の入れ子型１Ｃ、第１の入れ子型１Ａを順に並べて配置してある。この瓦用成形金型で成形した瓦ブロック体１０ｂは、図６，７に示すように、第４の入れ子型１Ｄで成形された小瓦６が被係止部９に連結しており、被係止部９の反対側の瓦ブロック体１０ｂの端部には第１の入れ子型１Ａで成形された係止片８が形成されている。
【００１５】
また、たとえば、図８の瓦用成形金型では、受金型２の入れ子型収納部３内に、被係止部成形型部４側から、第３の入れ子型１Ｃ、第４の入れ子型１Ｄ、第１の入れ子型１Ａ、第２の入れ子型１Ｂを順に並べて配置してある。この瓦用成形金型で成形した瓦ブロック体１０ｃは、図９，１０に示すように、第３の入れ子型１Ｃで成形された小瓦６が被係止部９に連結しており、被係止部９の反対側の瓦ブロック体１０ｃの端部には第２の入れ子型１Ｂで成形された係止片８が形成されている。
【００１６】
このように、受金型２の入れ子型収納部３内に順序を入れ替えて複数の入れ子型１を配置することで、入れ子型１の種類は増やすことなく小瓦６の配列パターンを異ならせた数種類の瓦ブロック体１０を成形させることができるのであり、つまり、少ない金型数で出来るだけ種類の多い瓦ブロック体の１０成形が可能とされ、種類の多い瓦ブロック体１０を成形する製造コストの大幅な低減化が図られているのである。なお、本例では、入れ子型１の型数は４種類あるので、４！（＝２４）通りの小瓦６の配列パターンの異なる瓦ブロック体１０を成形させることができる。
【００１７】
また、上記瓦用成形金型による瓦ブロック体１０の成形では、入れ子型収納部３内に配置した入れ子型１にはそれぞれ被係止部成形型部４と反対側の端部に係止片成形型部５が形成されているので、入れ子型収納部３内に任意の順序で入れ子型１を配置しても、成形された瓦ブロック体１０の被係止部９と反対側の端部には確実に係止片８が成形されると共に、入れ子型１には被係止部成形型部４側の端部に開口部１３が形成されているので、各小瓦６と被係止部９とは確実に一体に成形され、つまり一端に係止片８を他端に被係止部９を備えた瓦ブロック体１０の確実な成形も確保されているのである。
【００１８】
なお、上記図４，７，１０の各瓦ブロック体１０ａ，１０ｂ，１０ｃを、それぞれ隣接する係止片８と被係止部９とを連結係止させて配置すると、不規則な配列の小瓦６列が外方に露出するようになる（図１１）。しかして、これら瓦ブロック体１０ａ，１０ｂ，１０ｃを屋根に葺設したときには、この屋根に高級感をもたせて自然に見える外観を現出させ得るのである（図１２）。なお、小瓦６の配列をより不規則にするように、隣接配置させる瓦ブロック体１０の配列を変えたり、上下段に配置される瓦ブロック体１０を異なるパターンのもので組み合わせるようにすることも好ましいものである。
【００１９】
ところで、本例の瓦ブロック体１０は石目調仕上に施されたものである。詳しくは、小瓦６は略扁平板状に切り出した石材調に施され、各小瓦６間には石材間の境界を現出する目地調の溝模様１１が施されているのである。つまり、各小瓦６を成形する各入れ子型１の端部には、上記瓦ブロック体１０の瓦本体部７表面の小瓦６間に溝模様１１を形成させる溝成形型部１２が形成されている。具体的に、この溝成形型部１２は、係止片成形型部４の上端部位より下位位置に開口部１３を開口連結させることで構成される。上述したように瓦ブロック体１０の連設される小瓦６は、並べて配置した独立の複数の入れ子型１によって成形されることから、成形された小瓦６の間にはバリなどが生じる場合があって、このバリが瓦ブロック体１０、ひいては屋根の外観の劣化を招く場合もあったが、本例の成形された瓦ブロック体１０では、この小瓦６の間には上記溝成形型部１２による溝模様１１が形成されるので、たとえバリなどが発生してもこのバリは小瓦６の間の溝模様１１内に発生されるので、外観上目立たなくでき、瓦ブロック体１０、ひいては屋根の外観の向上を図り得るといった利点も有しているのである。
【００２０】
【発明の効果】
上記のように本発明の請求項１記載の発明にあっては、形状の異なる小瓦が連続して形成された瓦本体部を有し、この瓦本体部の一方の端部に係止片を備えると共に、瓦本体部の他方の端部に係止片が係止接続される被係止部を備えてなる瓦ブロック体を成形する瓦用成形金型であって、この瓦用成形金型を小瓦を成形する複数組の入れ子型とこの入れ子型が並べて収納される受金型とで構成し、この受金型の入れ子型収納部の隣接部位に被係止部成形型部を形成し、この被係止部成形型部と反対側の各入れ子型の端部にそれぞれ係止片成形型部を形成してなるので、入れ子型収納部内に配置した入れ子型にはそれぞれ被係止部成形型部と反対側の端部に係止片成形型部が形成されており、入れ子型収納部内に任意の順序で入れ子型を配置しても、成形された瓦ブロック体の被係止部と反対側の端部には確実に係止片が成形されることから、一端に係止片を他端に被係止部を備えた瓦ブロック体を確実に成形させることができるのであり、また、入れ子型収納部内に順序を入れ替えて入れ子型を配置することで、入れ子型の種類は増やすことなく小瓦の配列パターンを異ならせた数種類の瓦ブロック体を成形させることができるのであって、種類の多い瓦ブロック体を成形する製造コストの大幅な低減化を図ることができるのである。
【００２１】
また、請求項２記載の発明にあっては、請求項１の効果に加えて、瓦ブロック体の瓦本体部表面の小瓦間に溝模様を形成させる溝成形型部を各入れ子型の端部に形成したので、各入れ子型が成形する小瓦の間にしばしば生じてしまうバリなどを小瓦の間の溝模様内に発生させることができてバリを外観上目立たなくでき、瓦ブロック体、ひいては屋根の外観の向上を図ることができるのである。
【図面の簡単な説明】
【図１】本発明の実施の形態の例の瓦用成形金型の分解正面断面図である。
【図２】図１の入れ子型の配列状態の瓦用成形金型を示す正面断面図である。
【図３】図２の瓦用成形金型にて成形される瓦ブロック体の正面断面図である。
【図４】図３の瓦ブロック体の斜視図である。
【図５】同上の入れ子型の配列状態を変化させた瓦用成形金型を示す正面断面図である。
【図６】図５の瓦用成形金型にて成形される瓦ブロック体の正面断面図である。
【図７】図６の瓦ブロック体の斜視図である。
【図８】同上の入れ子型の配列状態を更に変化させた瓦用成形金型を示す正面断面図である。
【図９】図８の瓦用成形金型にて成形される瓦ブロック体の正面断面図である。
【図１０】図９の瓦ブロック体の斜視図である。
【図１１】図３，５，８の瓦ブロック体の連結状態の正面断面図である。
【図１２】同上の瓦ブロック体で形成した石目調屋根の斜視図である。
【図１３】従来技術の瓦用成形金型の例を示す正面断面図である。
【図１４】従来技術の瓦用成形金型の他例を示す正面断面図である。
【図１５】従来技術の例及び他例の瓦用成形金型にて成形される瓦ブロック体の正面断面図である。
【符号の説明】
１　入れ子型
２　受金型
３　入れ子型収納部
４　被係止部成形型部
５　係止片成形型部
６　小瓦
７　瓦本体部
８　係止片
９　被係止部
１０　瓦ブロック体
１１　溝模様
１２　溝成形型部
１３　開口部
【図１】
2004082518.tif 000003
【図２】
2004082518.tif 000004
【図３】
2004082518.tif 000005
【図４】
2004082518.tif 000006
【図５】
2004082518.tif 000007
【図６】
2004082518.tif 000008
【図７】
2004082518.tif 000009
【図８】
2004082518.tif 000010
【図９】
2004082518.tif 000011
【図１０】
2004082518.tif 000012
【図１１】
2004082518.tif 000013
【図１２】
2004082518.tif 000014
【図１３】
2004082518.tif 000015
【図１４】
2004082518.tif 000016
【図１５】
2004082518.tif 000017